(57)【特許請求の範囲】
【請求項１】
縦方向に延び、上端縁から下向きに延びる嵌合溝を有する仕切板と、
横方向に延び、前記嵌合溝の縁に沿って上下方向に延びるとともに下端縁から上向きに延びる係合溝を有する一対の側部と、各側部の上端間にかけて延びる連続部とを有し、前記連続部が前記仕切板の上端縁より下側に位置するように前記嵌合溝に嵌合されるスペーサと
を備えることを特徴とする仕切部材。
【請求項２】
前記スペーサの連続部を横方向に所定間隔をもって設けるとともに、各連続部の両側に該連続部より上方に突出する突出部を設け、連続部および両側の突出部の間に商品を位置決めして載置可能としたことを特徴とする請求項１に記載の仕切部材。
【発明の詳細な説明】
【技術分野】
【０００１】
本発明は、外箱内に収容した複数の商品間を仕切る仕切部材に関するものである。
【背景技術】
【０００２】
本発明の仕切部材に関連する先行技術文献情報としては次のものがある。
【０００３】
【特許文献１】特開２０００−２３８８８３号公報
【０００４】
この特許文献には、複数枚の仕切板を格子状に組み合わせることにより構成される仕切部材が記載されている。この仕切部材は、圧縮機などの複数の重量物を区画して収容するもので、搬送時の振動などによって商品が移動することを防止するために、逆凹字形状をなす固定板を仕切板の上端縁に架設して位置決めする構成としている。
【０００５】
一方、この種の仕切部材は、このような商品のみに限られず、飲料を瓶製の容器に収容した飲料容器を区画して収容することにも使用される。そして、このような飲料容器を収容する場合、飲料の製造メーカにて新たに開発した新製品を試供品（小瓶）として一緒に梱包し、販売することがある。
【０００６】
しかしながら、前記仕切部材は、各収容空間を仕切る仕切板が薄肉のため、試供品を一緒に収容する空間がない。因みに、各収容空間が大きくなるように各仕切板を構成すれば、試供品を一緒に収容することはできるが、本来の商品の周囲にスペースが存在するため、安定状態に収容させることはできない。
【発明の開示】
【発明が解決しようとする課題】
【０００７】
本発明は、従来の問題に鑑みてなされたもので、試供品を有する飲料容器など、略逆Ｌ字形状をなす商品を安定して区画収容可能な仕切部材を提供することを課題とする。
【課題を解決するための手段】
【０００８】
前記課題を解決するため、本発明の仕切部材は、縦方向に延び、上端縁から下向きに延びる嵌合溝を有する仕切板と、横方向に延び、前記嵌合溝の縁に沿って上下方向に延びるとともに下端縁から上向きに延びる係合溝を有する一対の側部と、各側部の上端間にかけて延びる連続部とを有し、前記連続部が前記仕切板の上端縁より下側に位置するように前記嵌合溝に嵌合されるスペーサとを備える構成としている。
【０００９】
この仕切部材では、前記スペーサの連続部を横方向に所定間隔をもって設けるとともに、各連続部の両側に該連続部より上方に突出する突出部を設け、連続部および両側の突出部の間に商品を位置決めして載置可能とすることが好ましい。
【発明の効果】
【００１０】
本発明の仕切部材では、所定幅のスペーサにより商品を収容する空間を区画しているため、そのスペーサ上に試供品などのサンプル商品を一緒に配置させることができる。そして、サンプル商品を前記連続部上に載置させることにより、本来の商品およびサンプル商品を安定状態で収容させることができる。
【００１１】
しかも、連続部を横方向に所定間隔をもって設けるとともに、連続部の両側に上方に突出する突出部を設け、これら突出部の間にサンプル商品を配置する構成としているため、確実な位置決めが可能であり、振動などでサンプル商品と本来の商品とが干渉することによる破損を防止できる。
【発明を実施するための最良の形態】
【００１２】
以下、本発明の実施の形態を図面に従って説明する。
【００１３】
図１から図４は、本発明の実施形態に係る仕切部材２０を適用した包装箱を示す。この包装箱は、矩形状の外箱１０と、該外箱１０の内部に配置して各商品間を仕切る仕切部材２０とからなり、３行４列の配置でガラス製の飲料容器１およびガラス製の試供飲料容器２を収容するものである。これら外箱１０および仕切部材２０は、一対の表紙と裏紙との間に波状の中しんを配設した段ボール紙を、周知の紙器打抜装置によって打ち抜いて成形される。
【００１４】
図２に示すように、外箱１０は、横方向に連続した４面の側壁１１Ａ〜１１Ｄを備え、その一端の側壁１１Ａには、他端の側壁１１Ｄに貼着するための糊代部（図示せず）が連設されている。これら側壁１１Ａ〜１１Ｄには、その各上端縁に天壁を構成する上フラップ１２Ａ〜１２Ｄが連設されるとともに、各下端縁に底壁を構成する下フラップ（図示せず）が連設されている。
【００１５】
前記仕切部材２０は、一対の第１仕切板２１Ａ，２１Ｂと、１枚の第２仕切板２６と、一対のスペーサ２８Ａ，２８Ｂとからなり、第１仕切板２１Ａ，２１Ｂにより３行に配置した各飲料容器１を区画するとともに、第２仕切板２６およびスペーサ２８Ａ，２８Ｂにより４列に配置した各飲料容器１を区画する構成としている。
【００１６】
前記第１仕切板２１Ａ，２１Ｂのブランクは、図４（Ａ）に示すように、外箱１０の長辺側（縦方向）の側壁１１Ａ，１１Ｃと略同一寸法でかつ略同一高さの長方形状シートからなる。この第１仕切板２１Ａ，２１Ｂには、下端縁中央から全高の略中央にかけて上向きに延びる第２仕切板係合溝２２が設けられている。また、第１仕切板２１Ａ，２１Ｂには、上端縁両側部から全高の中央を越えて下向きに延びる嵌合溝２３が設けられている。具体的には、この嵌合溝２３は、第１仕切板２１Ａ，２１Ｂの両側縁から飲料容器１の略横寸法分離れた位置に設けられ、その幅は、試供飲料容器２を２個並べた寸法と略同一とされている。さらに、第１仕切板２１Ａ，２１Ｂには、嵌合溝２３の上下方向に延びる側縁２３ａに沿って延長線上に延びるスペーサ係合溝２４が設けられている。これら係合溝２２，２４は、段ボール紙の略肉厚分の幅を有する。また、スペーサ係合溝２４から嵌合溝２３の底縁２３ｂにかけた角部には面取りによる切欠部２５が設けられている。この切欠部２５による縁は、後述するスペーサ２８Ａ，２８Ｂの突出部３３の傾斜角度と一致する。
【００１７】
前記第２仕切板２６のブランクは、図４（Ｂ）に示すように、外箱１０の短辺側（横方向）の側壁１１Ｂ，１１Ｄと略同一寸法でかつ略同一高さの長方形状シートからなる。この第２仕切板２６には、上端縁両側部から全高の略中央にかけて下向きに延びる係合溝２７，２７が設けられている。これら係合溝２７，２７は、第２仕切板２６の両側縁から飲料容器１の略横寸法分離れた位置に設けられ、その幅は、段ボール紙の略肉厚分とされている。
【００１８】
前記スペーサ２８Ａ，２８Ｂのブランクは、図４（Ｃ）に示すように、第２仕切板２６と同様に、外箱１０の短辺側の側壁１１Ｂ，１１Ｄと略同一寸法をなすように横方向に延びる長方形状シートからなる。このスペーサ２８Ａ，２８Ｂは、縦方向に所定間隔をもって平行に位置し、横方向に所定間隔をもって直線上に位置する第１折曲線２９ａ，２９ｂと、各第１折曲線２９ａ，２９ｂの端部を越えて縦方向に延びる切断線３０ａ，３０ｂとで、一対の側部３１Ａ，３１Ｂと、連続部３２と、突出部３３とに区画されている。第１折曲線２９ａ，２９ｂは、側部３１Ａ，３１Ｂと連続部３２とを区画するもので、その間隔は前記嵌合溝２３と略同一幅で、かつ、隣接する連続部３２と区画する切断線３０ｂ，３０ａ間を除くように設けられている。前記切断線３０ａ，３０ｂは、前記連続部３２を横方向に所定間隔をもって３つに区画し、組立状態で連続部３２の両側に上方へ三角形状をなすようにする突出部３３を形成するためのものである。この切断線３０ａ，３０ｂの両端間、および、横方向両端の切断線３０ａ，３０ｂとブランクの両側縁間には、前記と同様の第２折曲線３４ａ，３４ｂが設けられている。また、突出部３３の中央には第２折曲線３４ａ，３４ｂと平行な第３折曲線３５が設けられている。さらに、スペーサ２８Ａ，２８Ｂの側部３１Ａ，３１Ｂには、組立状態での下端縁両側部から上向きに延びる係合溝３６が設けられている。これら係合溝３６は、スペーサ２８Ａ，２８Ｂの両側縁から飲料容器１の略横寸法分離れた位置に設けられ、その幅は、段ボール紙の略肉厚分とされている。なお、この係合溝３６の高さ（深さ）は、第１仕切板２１Ａ，２１Ｂのスペーサ係合溝２４に噛み合わせて係合させた状態で、側部３１Ａ，３１Ｂの下端縁と第１仕切板２１Ａ，２１Ｂの下端縁とが一致する構成としている。また、側部３１Ａ，３１Ｂの全高は、この組立状態で連続部３２の上面から第１仕切板２１Ａ，２１Ｂの上端縁までの寸法が、試供飲料容器２の全高より高くなるように構成されている。
【００１９】
これら第１仕切板２１Ａ，２１Ｂ、第２仕切板２６およびスペーサ２８Ａ，２８Ｂからなる仕切部材２０を組み立てる場合には、まず、スペーサ２８Ａ，２８Ｂを逆凹字形状をなすように組み立てる。具体的には、全て平行に延びる第１から第３の折曲線２９ａ，２９ｂ，３４ａ，３４ｂ，３５を同方向に折り曲げる。これにより、図２に示すように、第１折曲線２９ａ，２９ｂにより、連続部３２を中心として側部３１Ａ，３１Ｂが９０度に屈曲される。また、第３折曲線３５により突出部３３が中央で鋭角に屈曲されるとともに、第１折曲線２９ａ，２９ｂに対して所定間隔をもって位置する第２折曲線３４ａ，３４ｂにより、突出部３３が側壁１１Ａ，１１Ｂに対して鈍角に屈曲される。
【００２０】
その後、例えば、横方向に延びるように配置した第２仕切板２６の係合溝２７に対して、縦方向に延びるように配置した第１仕切板２１Ａ，２１Ｂの第２仕切板係合溝２２を上下から噛み合わせて係合させる。ついで、スペーサ２８Ａ，２８Ｂを横方向に延びるように上方に配置し、第１仕切板２１Ａ，２１Ｂの嵌合溝２３の側縁２３ａに沿って側部３１Ａ，３１Ｂが延びるように嵌め込む。この際、スペーサ２８Ａ，２８Ｂの係合溝３６と第１仕切板２１Ａ，２１Ｂのスペーサ係合溝２４とを噛み合わせて係合させる。これにより、図３に示す組立状態の仕切部材２０が形成される。
【００２１】
そして、このようにして組み立てた仕切部材２０を外箱１０の内部に収容させ、該外箱１０内を３行４列の収容空間３７Ａ，３７Ｂに区画する。この状態では、同一行において、第２仕切板２６を境界として左右に位置する２組一対の収容空間３７Ａ，３７Ｂは、スペーサ２８Ａ，２８Ｂにより下部が区画され、スペーサ２８Ａ，２８Ｂより上方が連通した状態になる。
【００２２】
図１に示すように、前記包装箱の収容空間３７Ａ，３７Ｂには、小箱３に収容した試供飲料容器２を引っ掛けて装着した飲料容器１を収容させる。ここで、小箱３は、上端に試供飲料容器２の首部を突出させる開口部４と、飲料容器１の首部に引っ掛けるための引掛部５とを備えたものである。そして、この小箱３は、第１仕切板２１Ａ，２１Ｂの上端縁より下側に位置しているスペーサ２８Ａ，２８Ｂの連続部３２上に載置させる。これにより、小箱３は、連続部３２および両側の突出部３３の間に位置決めされる。
【００２３】
このように、本実施形態の仕切部材２０は、スペーサ２８Ａ，２８Ｂにより商品である飲料容器１の収容空間３７Ａ，３７Ｂを区画しているため、そのスペーサ２８Ａ，２８Ｂ上にサンプル商品である試供飲料容器２を一緒に配置させることができる。そして、この試供飲料容器２は、前記連続部３２上に載置させることにより、飲料容器１および試供飲料容器２の両方を安定状態で収容させることができる。
【００２４】
しかも、連続部３２を横方向に所定間隔をもって設けるとともに、連続部３２の両側に上方に突出する突出部３３を設け、これら突出部３３の間に試供飲料容器２を配置する構成としているため、確実な位置決めが可能であり、振動などで試供飲料容器２と本来の飲料容器１とが干渉することによる破損を防止できる。
【００２５】
また、本実施形態では、突出部３３は、第１折曲線２９ａ，２９ｂに対して所定間隔をもって位置する第２折曲線３４ａ，３４ｂおよび第３折曲線３５により二等辺三角形状をなすように突設している。そのため、側部３１Ａ，３１Ｂ間である縦方向の負荷に対抗する剛性を高めることができる。そのため、収容空間３７Ａ，３７Ｂに収容させた飲料容器１，１間の緩衝作用も十分に得ることができる。
【００２６】
なお、本発明の仕切部材２０は、前記実施形態の構成に限定されるものではなく、種々の変更が可能である。
【００２７】
例えば、前記実施形態では、一対の第１仕切板２１Ａ，２１Ｂと第２仕切板２６と一対のスペーサ２８Ａ，２８Ｂにより３行４列に区画する構成としたが、１つの仕切板と１つのスペーサで２行２列に区画してもよく、その数は希望に応じて変更が可能である。
【００２８】
また、前記実施形態では、各収容空間３７Ａ，３７Ｂにおいて連続部３２の両側にそれぞれ突出部３３，３３を突設したが、突出部３３は一方のみに突設してもよいうえ、３以上突設してもよい。さらに、突出部３３は、第３折曲線３５により三角形状を突出するようにしたが、２本の折曲線３５，３５を設けることにより台形状に形成してもよいうえ、３以上設けることにより波状をなすように突出させてもよい。
【００２９】
そして、前記実施形態では、収容する商品を飲料容器１と試供飲料容器２としたが、これらに限られず、略逆Ｌ字形状をなす商品であれば、同様に適用可能であり、同様の作用および効果を得ることができる。また、各部材２１Ａ，２１Ｂ，２６，２８Ａ，２８Ｂの関係および構成を明確にするために縦横および上下を規定したが、その方向性は希望に応じて変更が可能である。
【図面の簡単な説明】
【００３０】
【図１】本発明の実施形態に係る仕切部材を適用した包装箱を示す斜視図である。
【図２】包装箱の分解斜視図である。
【図３】組立状態の仕切部材を示す斜視図である。
【図４】（Ａ）は第１仕切板のブランク、（Ｂ）は第２仕切板のブランク、（Ｃ）はスペーサのブランクを示す平面図である。
【符号の説明】
【００３１】
１…飲料容器（商品）
２…試供飲料容器（サンプル商品）
１０…外箱
２０…仕切部材
２１Ａ，２１Ｂ…第１仕切板
２３…嵌合溝
２３ａ…側縁
２３ｂ…底縁
２６…第２仕切板
２８Ａ，２８Ｂ…スペーサ
３１Ａ，３１Ｂ…側部
３２…連続部
３３…突出部
３７Ａ，３７Ｂ…収容空間
【図１】
0004740046.tif 000002
【図２】
0004740046.tif 000003
【図３】
0004740046.tif 000004
【図４】
0004740046.tif 000005